(57)【要約】【課題】家財を傷つけないミリ波送信システムと人間の通過でミリ波信号が遮断されないミリ波受信システムを備える。【解決手段】ミリ波送信機１７を、設置台２１のスタンド部２２に立設されると共に、人間の平均身長以上の長さを有するた棒状部２１に取り付ける。こうして、ミリ波送信機１７を屋内の壁面や柱や天井等に取り付ける必要がなく、壁や家財等に傷付けることなくミリ波送信機１７を設置する。また、ミリ波受信機２６を、設置台３２のスタンド部３３に立設されると共に、人間の平均身長以上の長さであってミリ波送信機１７取り付け用の棒状部２３と同じ長さを有する棒状部３４に取り付ける。こうして、ミリ波送信機１７から放出されたミリ波信号が、室内の人間によって遮断されたり、室内の什器等によって遮断されたりするのを、少なくする。【選択図】図７
2009284216.tif 000002
【特許請求の範囲】
【請求項１】
屋内に設置されると共に、屋外で放送波受信装置によって受信された放送波をミリ波にアップコンバートし、このアップコンバートされた放送波を室内空間に放出するミリ波送信装置と、
上記放送波受信装置によって受信された放送波を、上記ミリ波送信装置まで伝送する放送波伝送線と、
上記放送波伝送線に介設されると共に、上記放送波伝送線に直流電圧を重畳する直流電圧重畳器と
を備え、
上記ミリ波送信装置は、スタンド部とこのスタンド部に立設された棒状部とを含む設置台における上記棒状部の上部に取り付けられており、
上記直流電圧重畳器は、上記設置台における上記スタンド部に取り付けられており、
上記放送波伝送線における上記直流電圧重畳器よりも上記ミリ波送信装置側に在る放送波伝送線は、上記スタンド部内および上記棒状部内に挿通されて、あるいは、上記スタンド部および上記棒状部に沿って、配線されている
ことを特徴とするミリ波送信システム。
【請求項２】
請求項１に記載のミリ波送信システムにおいて、
上記設置台の上記棒状部は、人間の大人の平均身長以上の長さを有していることを特徴とするミリ波送信システム。
【請求項３】
請求項１あるいは請求項２に記載のミリ波送信システムにおいて、
上記設置台における上記棒状部および上記スタンド部の少なくとも一方に、照明装置を取り付けたことを特徴とするミリ波送信システム。
【請求項４】
請求項１から請求項３までの何れか一つに記載にミリ波送信システムにおいて、
上記設置台における上記棒状部に回転可能に取り付けられると共に、上記ミリ波送信装置から室内空間に放出される上記放送波の方向と同じ方向に光を出射して、上記ミリ波送信装置における上記放送波の放出方向の調整の際の案内用光ビームとして動作可能なビームライト
を備えたことを特徴とするミリ波送信システム。
【請求項５】
屋外の放送波受信装置で受信されると共に、屋内に設置されたミリ波送信装置でミリ波にアップコンバートされて室内空間に放出された放送波を受信して、中間周波信号にダウンコンバートするミリ波受信装置と、
上記ミリ波受信装置からの上記ダウンコンバートされた放送波に基づいて受信画像を出力するテレビ受像機と
を備え、
上記ミリ波受信装置は、上記テレビ受像機上に直接取り付けられると共に、指向性アンテナおよび回転機構を有し、上記回転機構によって回転および停止されるようになっている
ことを特徴とするミリ波受信システム。
【請求項６】
屋外の放送波受信装置で受信されると共に、屋内に設置されたミリ波送信装置でミリ波にアップコンバートされて室内空間に放出された放送波を受信して、中間周波信号にダウンコンバートするミリ波受信装置と、
上記ミリ波受信装置からの上記ダウンコンバートされた放送波に基づいて受信画像を出力するテレビ受像機と
を備え、
上記ミリ波受信装置は、回転機構によって回転および停止される指向性アンテナを有すると共に、スタンド部とこのスタンド部に立設された棒状部とを含む設置台における上記棒状部の上部に取り付けられており、
上記ミリ波受信装置からの上記ダウンコンバートされた放送波を上記テレビ受像機に伝送する信号線の一部は、上記棒状部内および上記スタンド部内に挿通されて、あるいは、上記棒状部および上記スタンド部に沿って、配線されている
ことを特徴とするミリ波受信システム。
【請求項７】
請求項６に記載のミリ波受信システムにおいて、
上記設置台の上記棒状部は、人間の大人の平均身長以上の長さを有している
ことを特徴とするミリ波受信システム。
【請求項８】
請求項６あるいは請求項７に記載のミリ波受信システムにおいて、
上記設置台における上記棒状部および上記スタンド部の少なくとも一方に、照明装置を取り付けたことを特徴とするミリ波受信システム。
【請求項９】
請求項６から請求項８までの何れか一つに記載にミリ波受信システムにおいて、
上記設置台における上記棒状部に回転可能に取り付けられると共に、上記ミリ波受信装置における上記指向性アンテナの向きと同じ方向に光を出射して、上記ミリ波受信装置における上記指向性アンテナの向きの調整の際の案内用光ビームとして動作可能なビームライト
を備えたことを特徴とするミリ波受信システム。
【請求項１０】
請求項４に記載のミリ波送信システムと、
請求項９に記載のミリ波受信システムと
を備え、
上記ミリ波送信システムにおける上記ミリ波送信装置に、上記ミリ波受信システムにおける上記ビームライトからの光を反射する反射体を設け、
上記ミリ波受信システムにおける上記ミリ波受信装置に、上記ミリ波送信システムにおける上記ビームライトからの光を反射する反射体を設け
たことを特徴とするミリ波送受信システム。
【請求項１１】
請求項２、請求項２に従属した請求項３、および、請求項２に従属した請求項４の何れか一つに記載のミリ波送信システムと、
請求項７、請求項７に従属した請求項８、および、請求項７に従属した請求項９の何れか一つに記載のミリ波受信システムと
を備え、
上記ミリ波送信システムにおける上記ミリ波送信装置が取り付けられている上記設置台の上記棒状部と、上記ミリ波受信システムにおける上記ミリ波受信装置が取り付けられている上記設置台の上記棒状部とは、略同じ長さを有している
ことを特徴とするミリ波送受信システム。
【請求項１２】
請求項１から請求項４までの何れか一つに記載のミリ波送信システムと、
請求項６から請求項９までの何れか一つに記載のミリ波受信システムと
を備えたことを特徴とするミリ波送受信システム。
【発明の詳細な説明】
【技術分野】
【０００１】
この発明は、テレビの地上波放送や衛星放送等の放送波をミリ波を用いて屋内で無線伝送するミリ波送信システム、ミリ波受信システム、および、ミリ波送受信システムに関する。
【背景技術】
【０００２】
放送波をマイクロ波やミリ波を用いて屋内で無線伝送するマイクロ波・ミリ波送信装置として、特開２００４‐７２１８７号公報(特許文献１)に開示されているようなものがある。以下、図１１に従って、上記特許文献１に開示されたマイクロ波・ミリ波送信装置について説明する。
【０００３】
図１１は、上記特許文献１に開示された従来のマイクロ波・ミリ波送信装置における概略構成図である。図１１において、１はＢＳ受信用アンテナ、２は第１ＩＦ(中間周波数)ケーブル、３は第２ＩＦケーブル、４は直流電圧重畳器、５はＡＣアダプタ、６はアンテナ端子、７は交流コンセントである。また、８はミリ波送信機、９はミリ波受信機、１０はテレビ受像機である。
【０００４】
上記ＢＳ放送受信用アンテナ１とアンテナ端子６とは、家屋の壁内部に配置された第１ＩＦケーブル２で接続されている。さらに、第１ＩＦケーブル２と第２ＩＦケーブル３とは、アンテナ端子６に差し込まれた直流電圧重畳器４を介して接続されている。この直流電圧重畳器４内は、第１ＩＦケーブル２側に１５Ｖの直流電圧を重畳し、第２ＩＦケーブル３側に５Ｖの直流電圧を重畳し、ＩＦ信号は第１ＩＦケーブル２から第２ＩＦケーブル３へ通過する構造になっている。
【０００５】
上記ミリ波送信機８では、第２ＩＦケーブル３からの５Ｖの直流電圧が重畳されたＩＦ信号が、ＩＦ信号と５Ｖの直流電圧とに分離される。そして電源回路(図示せず)によって各ブロックに必要な電流・電圧が供給され、ＩＦ信号はミリ波信号にアップコンバートされた後に空間に放出される。こうして、空間に放出されたミリ波信号は、受信機９で受信され、元のＩＦ信号にダウンコンバートされてテレビ受像機１０やチューナに送られる。
【０００６】
しかしながら、上記特許文献１に開示された従来のマイクロ波・ミリ波送信装置においては、以下のような問題がある。
【０００７】
通常の家屋においては、テレビ受像機のアンテナ端子や交流電源用のコンセントは、家屋の内壁面の下の方向に埋め込まれている。そのため、図１１に示すような構成では、内壁面上部に設置されたミリ波送信機８までは、直流電圧重畳器４を介して第２ＩＦケーブル３で接続される構成になっている。
【０００８】
このような構成においては、上記ミリ波送信機８は壁や柱等に取り付ける必要があり、ネジ等による取り付け工事が必要となる。また、直流電圧重畳器４からミリ波送信機８までは、第２ＩＦケーブル３を配設する必要がある。したがって、有線ケーブルでなる第２ＩＦケーブル３を上記壁や柱等に対して弛まないように固定する工事が必要となる。
【０００９】
以上のごとく、上記特許文献１に開示された従来のマイクロ波・ミリ波送信装置においては、取り付け工事が必要になるため、購入者一人では取り付けが困難であり、且つ、上記屋内の壁や柱を傷つけてしまうという問題がある。
【００１０】
一方、受信側においては、上記テレビ受像機１０に設置されたミリ波受信機９で受信するように構成されている。この場合、ミリ波受信機９がテレビ受像機１０の上面に設置されているため、ミリ波受信機９が設置されている位置の床面からの高さは、テレビ受像機１０の画面サイズによって変わるもののテレビラックを含めて約０.８ｍ〜１.５ｍ程度であり、大人の身長に比べて低い位置にミリ波受信機９が設置される。
【００１１】
このような状況下においては、上記ミリ波受信機９は、単にテレビ受像機１０上の大人の身長に比べて低い位置に設置されているため、ミリ波送信機８から空間に放出されたミリ波信号は、テレビ受像機１０の前を人間が通過することによって遮断されてしまうという問題がある。
【特許文献１】特開２００４‐７２１８７号公報
【発明の開示】
【発明が解決しようとする課題】
【００１２】
そこで、この発明の課題は、ミリ波送信装置を屋内の壁面や柱の上部あるいは天井等に取り付ける必要がなく家財に傷を付けることがないミリ波送信システム、人間が通過することによって遮断されることなくミリ波信号を受信できるミリ波受信システム、および、ミリ波送受信システムを提供することにある。
【課題を解決するための手段】
【００１３】
上記課題を解決するため、この発明のミリ波送信システムは、
屋内に設置されると共に、屋外で放送波受信装置によって受信された放送波をミリ波にアップコンバートし、このアップコンバートされた放送波を室内空間に放出するミリ波送信装置と、
上記放送波受信装置によって受信された放送波を、上記ミリ波送信装置まで伝送する放送波伝送線と、
上記放送波伝送線に介設されると共に、上記放送波伝送線に直流電圧を重畳する直流電圧重畳器と
を備え、
上記ミリ波送信装置は、スタンド部とこのスタンド部に立設された棒状部とを含む設置台における上記棒状部の上部に取り付けられており、
上記直流電圧重畳器は、上記設置台における上記スタンド部に取り付けられており、
上記放送波伝送線における上記直流電圧重畳器よりも上記ミリ波送信装置側に在る放送波伝送線は、上記スタンド部内および上記棒状部内に挿通されて、あるいは、上記スタンド部および上記棒状部に沿って、配線されている
ことを特徴としている。
【００１４】
上記構成によれば、ミリ波送信装置は、設置台におけるスタンド部に立設された棒状部の上部に取り付けられるので、屋内の壁面や柱の上部あるいは天井等にネジ等で取り付ける必要がなく、上記ミリ波送信装置を、家財を傷付けることなく容易に取り付けることができる。
【００１５】
さらに、直流電圧重畳器は上記設置台の上記スタンド部に取り付けられ、上記直流電圧重畳器よりも上記ミリ波送信装置側の放送波伝送線は、上記スタンド部内および上記棒状部内に挿通されて、あるいは、上記スタンド部および上記棒状部に沿って、配線されている。したがって、上記直流電圧重畳器よりも上記ミリ波送信装置側の放送波伝送線を、壁や柱等に弛まないように固定する工事が必要なく、購入者でも簡易に配線することができる。また、上記設置台の向きを変えることによって、上記ミリ波送信装置からのミリ波信号の送信方向を、大まかに調整することが可能になる。
【００１６】
さらに、上記直流電圧重畳器を上記スタンド部に取り付けることによって、厚さが略２cmの文庫本程度のサイズを有する上記直流電圧重畳器を、安定して設置することが可能になる。
【００１７】
また、１実施の形態のミリ波送信システムでは、
上記設置台の上記棒状部は、人間の大人の平均身長以上の長さを有している。
【００１８】
この実施の形態によれば、上記ミリ波送信装置を、人間の大人の平均身長以上の高さに設置することができ、上記ミリ波送信装置から放出されたミリ波信号が、室内の人間によって遮断されたり、室内の什器等によって遮断されたりすることを、少なくすることができる。
【００１９】
また、１実施の形態のミリ波送信システムでは、
上記設置台における上記棒状部および上記スタンド部の少なくとも一方に、照明装置を取り付けている。
【００２０】
この実施の形態によれば、上記設置台に照明装置を取り付けているので、上記設置台に照明スタンドとしての機能を持たせることができ、上記設置台をインテリアとして違和感無くフロアに置くことができる。
【００２１】
また、１実施の形態のミリ波送信システムでは、
上記設置台における上記棒状部に回転可能に取り付けられると共に、上記ミリ波送信装置から室内空間に放出される上記放送波の方向と同じ方向に光を出射して、上記ミリ波送信装置における上記放送波の放出方向の調整の際の案内用光ビームとして動作可能なビームライト
を備えている。
【００２２】
この実施の形態によれば、ビームライトから、上記ミリ波送信装置から放出される上記放送波と同じ方向に光ビームが出射されるので、この光ビームを案内として、上記ミリ波送信装置における上記放送波の放出方向を容易に調整することができる。とりわけ、上記ミリ波送信装置、つまり上記設置台の設置位置が適切な場所でない場合には、受信側に向かって上記ビームライトから光を出射することにより、この光ビームによって上記ミリ波送信装置と上記受信側との間に放送波を遮る壁や什器が在るか否かを知ることができ、上記ミリ波送信装置の最適な設置位置を容易に知ることができる。
【００２３】
また、この発明のミリ波受信システムは、
屋外の放送波受信装置で受信されると共に、屋内に設置されたミリ波送信装置でミリ波にアップコンバートされて室内空間に放出された放送波を受信して、中間周波信号にダウンコンバートするミリ波受信装置と、
上記ミリ波受信装置からの上記ダウンコンバートされた放送波に基づいて受信画像を出力するテレビ受像機と
を備え、
上記ミリ波受信装置は、上記テレビ受像機上に直接取り付けられると共に、指向性アンテナおよび回転機構を有し、上記回転機構によって回転および停止されるようになっている
ことを特徴としている。
【００２４】
上記構成によれば、指向性アンテナを有するミリ波受信装置は、テレビ受像機上に直接取り付けられると共に、回転機構によって回転・停止されるようになっている。したがって、上記ミリ波受信装置における上記指向性アンテナの向きの調整を、上記回転機構によって上記ミリ波受信装置を回転・停止させることによって容易に行うことができる。すなわち、この発明によれば、放送波をミリ波にアップコンバートして放出するミリ波送信装置の設置方向を気にすることなく上記ミリ波受信装置を設置することができ、上記ミリ波受信装置を上記テレビ受像機に安定して個定することができるのである。
【００２５】
また、この発明のミリ波受信システムは、
屋外の放送波受信装置で受信されると共に、屋内に設置されたミリ波送信装置でミリ波にアップコンバートされて室内空間に放出された放送波を受信して、中間周波信号にダウンコンバートするミリ波受信装置と、
上記ミリ波受信装置からの上記ダウンコンバートされた放送波に基づいて受信画像を出力するテレビ受像機と
を備え、
上記ミリ波受信装置は、回転機構によって回転および停止される指向性アンテナを有すると共に、スタンド部とこのスタンド部に立設された棒状部とを含む設置台における上記棒状部の上部に取り付けられており、
上記ミリ波受信装置からの上記ダウンコンバートされた放送波を上記テレビ受像機に伝送する信号線の一部は、上記棒状部内および上記スタンド部内に挿通されて、あるいは、上記棒状部および上記スタンド部に沿って、配線されている
ことを特徴としている。
【００２６】
上記構成によれば、指向性アンテナを有するミリ波受信装置は、設置台におけるスタンド部に立設された棒状部の上部に取り付けられているので、各メーカによって異なるテレビ受像機の形状に合わせることなく設置することが可能になる。さらに、上記ミリ波受信装置の設置位置を、上記テレビ受像機上に直接取り付ける場合よりも高くすることが可能になり、上記ミリ波受信装置によって受信されるべきミリ波信号が、室内の人間によって遮断されたり、室内の什器等によって遮断されたりすることを、より少なくすることが可能になる。
【００２７】
また、１実施の形態のミリ波受信システムでは、
上記設置台の上記棒状部は、人間の大人の平均身長以上の長さを有している。
【００２８】
この実施の形態によれば、上記ミリ波受信装置を、人間の大人の平均身長以上の高さに設置することができ、上記ミリ波受信装置で受信されるべきミリ波信号が、室内の人間によって遮断されたり、室内の什器等によって遮断されたりすることを、より確実に少なくすることができる。
【００２９】
また、１実施の形態のミリ波受信システムでは、
上記設置台における上記棒状部および上記スタンド部の少なくとも一方に、照明装置を取り付けている。
【００３０】
この実施の形態によれば、本ミリ波受信システムの上記設置台に照明装置を取り付けているので、上記テレビ受像機の周囲を明るくすることができ、目の疲れを軽減することができる。さらに、上記照明装置を天井方向に向けることによって間接照明が可能となる。したがって、周囲を薄暗くしてシアター視聴も可能となり、雰囲気や臨場感が在り、リラックスした視聴が可能になる。
【００３１】
また、１実施の形態のミリ波受信システムでは、
上記設置台における上記棒状部に回転可能に取り付けられると共に、上記ミリ波受信装置における上記指向性アンテナの向きと同じ方向に光を出射して、上記ミリ波受信装置における上記指向性アンテナの向きの調整の際の案内用光ビームとして動作可能なビームライト
を備えている。
【００３２】
この実施の形態によれば、ビームライトから、上記ミリ波受信装置における上記指向性アンテナの向きと同じ方向に光ビームが出射されるので、この光ビームを案内として、上記ミリ波受信装置における上記指向性アンテナの向きを容易に調整することができる。
【００３３】
また、この発明のミリ波送受信システムは、
請求項４に記載のミリ波送信システムと、
請求項９に記載のミリ波受信システムと
を備え、
上記ミリ波送信システムにおける上記ミリ波送信装置に、上記ミリ波受信システムにおける上記ビームライトからの光を反射する反射体を設け、
上記ミリ波受信システムにおける上記ミリ波受信装置に、上記ミリ波送信システムにおける上記ビームライトからの光を反射する反射体を設け
たことを特徴としている。
【００３４】
上記構成によれば、上記ミリ波送信システムの上記ビームライトおよび上記ミリ波受信システムの上記ビームライトの夫々からの光ビームを上記ミリ波受信装置および上記ミリ波送信装置で反射することができ、上記ミリ波受信装置で反射された光ビームおよび上記ミリ波送信装置で反射された光ビームに基づいて、上記ミリ波受信装置および上記ミリ波送信装置の向きを検知することができる。したがって、上記ミリ波受信装置における上記指向性アンテナの向きの調整、および、上記ミリ波送信装置における上記放送波の放出方向の調整を、容易に行うことができる。
【００３５】
また、この発明のミリ波送受信システムは、
請求項２、請求項２に従属した請求項３、および、請求項２に従属した請求項４の何れか一つに記載のミリ波送信システムと、
請求項７、請求項７に従属した請求項８、および、請求項７に従属した請求項９の何れか一つに記載のミリ波受信システムと
を備え、
上記ミリ波送信システムにおける上記ミリ波送信装置が取り付けられている上記設置台の上記棒状部と、上記ミリ波受信システムにおける上記ミリ波受信装置が取り付けられている上記設置台の上記棒状部とは、略同じ長さを有している
ことを特徴としている。
【００３６】
上記構成によれば、上記ミリ波送信装置と上記ミリ波受信装置との両方を、人間の大人の平均身長以上の高さに設置することができ、上記ミリ波送信装置と上記ミリ波受信装置との間で送受されるべきミリ波信号が、室内の人間によって遮断されたり、室内の什器等によって遮断されたりすることを、非常に少なくすることができる。
【００３７】
さらに、上記ミリ波送信装置と上記ミリ波受信装置とが略同じ高さに設置されているので、上記ミリ波受信装置における上記指向性アンテナの向きの３次元的な調整が不要となる。したがって、上記ミリ波受信装置における上記指向性アンテナの向きの調整は、２次元的な調整のみでよく、上記調整を極めて容易にすることができる。
【００３８】
また、この発明のミリ波送受信システムは、
請求項１から請求項４までの何れか一つに記載のミリ波送信システムと、
請求項６から請求項９までの何れか一つに記載のミリ波受信システムと
を備えたことを特徴としている。
【００３９】
上記構成によれば、上記ミリ波送信装置を、屋内の壁面や柱の上部あるいは天井等にネジ等で取り付ける必要がなく、家財を傷付けることなく容易に取り付けることが可能なミリ波送信システムと、上記ミリ波受信装置で受信されるべきミリ波信号が、室内の人間によって遮断されたり、室内の什器等によって遮断されたりすることを、より少なくすることが可能なミリ波受信システムとを、備えているので、家財を傷付けることなく容易に取り付けることができ、ミリ波信号が、室内の人間によって遮断されたり、室内の什器等によって遮断されたりするのを少なくできる。
【発明の効果】
【００４０】
以上より明らかなように、この発明のミリ波送信システムは、ミリ波送信装置を、設置台におけるスタンド部に立設された棒状部の上部に取り付けるので、屋内の壁面や柱の上部あるいは天井等にネジ等で取り付ける必要がなく、上記ミリ波送信装置を、家財を傷付けることなく容易に取り付けることができる。さらに、直流電圧重畳器を上記設置台の上記スタンド部に取り付け、上記直流電圧重畳器よりも上記ミリ波送信装置側の放送波伝送線を上記スタンド部内および上記棒状部内に挿通して、または、上記スタンド部および上記棒状部に沿って、配線するので、上記直流電圧重畳器よりも上記ミリ波送信装置側の放送波伝送線を、壁や柱等に弛まないように固定する工事が必要なく、購入者でも簡易に配線することができる。
【００４１】
また、この発明のミリ波受信システムは、指向性アンテナを有するミリ波受信装置を、テレビ受像機上に直接取り付けると共に、回転機構によって回転・停止するようになっているので、上記ミリ波受信装置における上記指向性アンテナの向きの調整を、上記回転機構によって上記ミリ波受信装置を回転・停止することによって容易に行うことができる。したがって、ミリ波送信装置から放出される放送波の方向、つまり上記ミリ波送信装置の設置方向を気にすることなく上記ミリ波受信装置を設置でき、上記ミリ波受信装置を上記テレビ受像機に安定して個定することが可能になる。
【００４２】
また、この発明のミリ波受信システムは、指向性アンテナを有するミリ波受信装置を、設置台におけるスタンド部に立設された棒状部の上部に取り付けるので、各メーカによって異なるテレビ受像機の形状に合わせることなく設置することが可能になる。さらに、上記ミリ波受信装置の設置位置を、上記テレビ受像機上に直接取り付ける場合よりも高くすることが可能になり、上記ミリ波受信装置で受信されるべきミリ波信号が、室内の人間によって遮断されたり、室内の什器等によって遮断されたりすることを、より少なくすることが可能になる。
【００４３】
また、この発明のミリ波送受信システムは、上記ミリ波送信システムの上記ビームライトからの光ビームおよびミリ波受信システムの上記ビームライトからの光ビームを、上記ミリ波受信装置の反射体および上記ミリ波送信装置の反射体で反射するので、上記ミリ波受信装置で反射された光ビームおよび上記ミリ波送信装置で反射された光ビームに基づいて、上記ミリ波受信装置および上記ミリ波送信装置の向きを検知することができる。したがって、上記ミリ波受信装置における上記指向性アンテナの向きの調整、および、上記ミリ波送信装置における上記放送波の放出方向の調整を、容易に行うことができる。
【００４４】
また、この発明のミリ波送受信システムは、上記ミリ波送信システムにおける上記設置台の上記棒状部と上記ミリ波受信システムにおける上記設置台の上記棒状部とは、人間の大人の平均身長以上の長さを有すると共に、略同じ長さを有しているので、上記ミリ波送信装置と上記ミリ波受信装置との両方を、人間の大人の平均身長以上の高さに設置することができる。したがって、上記ミリ波送信装置と上記ミリ波受信装置との間で送受されるべきミリ波信号が、室内の人間によって遮断されたり、室内の什器等によって遮断されたりすることを、非常に少なくすることができる。
【００４５】
さらに、上記ミリ波送信装置と上記ミリ波受信装置とを略同じ高さに設置することができ、上記ミリ波受信装置における上記指向性アンテナの向きの３次元的な調整が不要となる。したがって、上記ミリ波受信装置における上記指向性アンテナの向きの調整を、２次元的に行えばよく、上記調整を極めて容易に行うことができる。
【００４６】
また、この発明のミリ波送受信システムは、上記ミリ波送信装置を、屋内の壁面や柱の上部あるいは天井等にネジ等で取り付ける必要がなく、家財を傷付けることなく容易に取り付けることが可能なミリ波送信システムと、上記ミリ波受信装置で受信されるべきミリ波信号が、室内の人間によって遮断されたり、室内の什器等によって遮断されたりすることを、より少なくすることが可能なミリ波受信システムとを、備えているので、家財を傷付けることなく容易に取り付けることができ、ミリ波信号が、室内の人間によって遮断されたり、室内の什器等によって遮断されたりするのを少なくできる。
【発明を実施するための最良の形態】
【００４７】
以下、この発明を図示の実施の形態により詳細に説明する。
【００４８】
・第１実施の形態
図１は、本実施の形態のミリ波送信システムにおける概略構成を示す。図１において、１１は上記放送波受信装置としてのＢＳ受信用アンテナ、１２は第１ＩＦケーブル、１３はアンテナ端子、１４は交流コンセントである。また、１５はレベル調整・直流電圧重畳器、１６は第２ＩＦケーブル、１７は上記ミリ波送信装置としてのミリ波送信機である。
【００４９】
ここで、本実施の形態のミリ波送信システムにおいては、上記アンテナ端子１３や交流コンセント１４は家屋の内壁面の下の方向に埋め込まれている。そして、ＢＳ放送受信用アンテナ１１とアンテナ端子１３とは、家屋の壁内部に配置された第１ＩＦケーブル１２で接続されている。また、レベル調整・直流電圧重畳器１５は、アンテナ端子１３と第３ＩＦケーブル１５aで接続される一方、交流コンセント１４と電源ライン１５bで接続されている。そして、第１ＩＦケーブル１２と第２ＩＦケーブル１６とは、設置台１８に取り付けられたレベル調整・直流電圧重畳器１５と第３ＩＦケーブル１５aとを介して接続されている。つまり、第１ＩＦケーブル１２と第３ＩＦケーブル１５aと第２ＩＦケーブル１６とで、上記放送波伝送線を構成しているのである。尚、図１においては、第３ＩＦケーブル１５aと電源ライン１５bとをその途中から１本に束ねてレベル調整・直流電圧重畳器１５に接続している。
【００５０】
上記レベル調整・直流電圧重畳器１５内は、上記交流コンセント１４からの商業用の１００Ｖ交流電圧を直流電圧に変換すると共に電圧レベルを調整し、例えば、第１ＩＦケーブル１２側に１５Ｖの直流電圧を重畳する一方、第２ＩＦケーブル１６側に５Ｖの直流電圧を重畳し、ＩＦ信号は第１ＩＦケーブル１２から第２ＩＦケーブル１６へ通過する構造になっている。尚、第１ＩＦケーブル１２および第２ＩＦケーブル１６に重畳する直流電圧は、必要時応じて適宜設定すればよい。
【００５１】
尚、本実施の形態においては、上記レベル調整・直流電圧重畳器１５にＡＣ/ＤＣ変換機能を持たせているが、上記特許文献１に開示された従来のマイクロ波・ミリ波送信装置のように、レベル調整・直流電圧重畳器１５外にあって交流コンセント１４に接続されたＡＣアダプタによってＡＣ/ＤＣ変換を行っても差し支えない。
【００５２】
また、上記設置台１８は、スタンド部１９とこのスタンド部１９に立設された棒状部２０とで構成されている。そして、レベル調整・直流電圧重畳器１５はスタンド部１９上に設置される一方、ミリ波送信機１７は棒状部２０の上部に突出棒を介して取り付けられており、第２ＩＦケーブル１６はスタンド部１９内,棒状部２０内および上記突出棒内に挿通されている。
【００５３】
尚、上記第２ＩＦケーブル１６は、スタンド部１９および棒状部２０に沿って配線しても一向に構わない。また、レベル調整・直流電圧重畳器１５は、スタンド部１９内に設置しても差し支えない。
【００５４】
上記ミリ波送信機１７では、第２ＩＦケーブル１６からの５Ｖの直流電圧が重畳されたＩＦ信号が、ＩＦ信号と５Ｖの直流電圧とに分離される。そして、電源回路(図示せず)によって各ブロックに必要な電流・電圧が供給され、ＩＦ信号はミリ波信号にアップコンバートされた後に室内空間に放出される。こうして、室内空間に放出されたミリ波信号は、例えばミリ波受信機(図示せず)で受信されて元のＩＦ信号にダウンコンバートされ、テレビ受像機(図示せず)やチューナに送られる。
【００５５】
上述のごとく、本実施の形態においては、上記ミリ波送信機１７を、設置台１８のスタンド部１９に立設された棒状部２０の上端部に取り付けている。このように、ミリ波送信機１７をスタンド部１９に取り付けることによって、ミリ波送信機１７を屋内の壁面や柱の上部や天井等に取り付ける必要がなく、壁や家財等に傷付けることなくミリ波送信機１７を設置することができる。
【００５６】
さらに、上記第２ＩＦケーブル１６を、スタンド部１９内,棒状部２０内および上記突出棒内に挿通している。このように、第２ＩＦケーブル１６を設置台１８内に配線することによって、第２ＩＦケーブル１６を上記壁や柱等に対して弛まないように固定する工事が不要になる。さらに、レベル調整・直流電圧重畳器１５を、設置台１８のスタンド部１９に設けることによって、ＴＶブースターのように床に置いたり壁に取り付けたりする工事が不要になる。
【００５７】
図２は、本実施の形態のミリ波送信システムにおける第１変形例を示す構成図である。図２において、ＢＳ受信用アンテナ１１、第１ＩＦケーブル１２、アンテナ端子１３、交流コンセント１４、レベル調整・直流電圧重畳器１５、第２ＩＦケーブル１６、および、ミリ波送信機１７は、図１に示すミリ波送信システムの場合と全く同様である。
【００５８】
本変形例は、スタンド部２２とこのスタンド部２２に立設された棒状部２３とで構成されると共に、上記ミリ波送信機１７が取り付けられる設置台２１において、棒状部２３の長さが人間の大人の平均身長以上になっている点において、図１に示すミリ波送信システムの場合とは異なる。
【００５９】
このように、上記ミリ波送信機１７を、人間の大人の平均身長以上の高さに設置することにより、ミリ波送信機１７から放出されたミリ波信号が、室内の人間によって遮断されたり、室内の什器等によって遮断されたりすることを、極力少なくすることができるのである。
【００６０】
図３は、本実施の形態のミリ波送信システムにおける第２変形例を示す構成図である。図３において、ＢＳ受信用アンテナ１１、第１ＩＦケーブル１２、アンテナ端子１３、交流コンセント１４、レベル調整・直流電圧重畳器１５、第２ＩＦケーブル１６、および、ミリ波送信機１７は、図１に示すミリ波送信システムの場合と全く同様である。また、設置台２１、スタンド部２２、および、棒状部２３は、図２に示すミリ波送信システムの場合と全く同様である。
【００６１】
本変形例は、上記設置台２１における棒状部２３の上端に、照明装置２４が取り付けられている点において、図１および図２に示すミリ波送信システムの場合とは異なる。
【００６２】
このように、上記設置台２１における棒状部２３の上端に照明装置２４を取り付け・固定することにより、設置台２１に照明スタンドとしての機能を持たせることができ、設置台２１をインテリアとしても違和感無くフロアに置くことができる。
【００６３】
図４は、本実施の形態のミリ波送信システムにおける第３変形例を示す構成図である。図４において、ＢＳ受信用アンテナ１１、第１ＩＦケーブル１２、アンテナ端子１３、交流コンセント１４、レベル調整・直流電圧重畳器１５、第２ＩＦケーブル１６、および、ミリ波送信機１７は、図１に示すミリ波送信システムの場合と全く同様である。また、設置台２１、スタンド部２２、および、棒状部２３は、図２に示すミリ波送信システムの場合と全く同様である。また、照明装置２４は、図３に示すミリ波送信システムの場合と全く同様である。
【００６４】
本変形例は、上記設置台２１の棒状部２３におけるミリ波送信機１７取り付け用の上記突出棒の下部に、回転・駆動可能なビームライト２５が取り付けられている点において、図１〜図３に示すミリ波送信システムの場合とは異なる。
【００６５】
このように、上記設置台２１の棒状部２３にビームライト２５を回転・駆動可能なように取り付けることにより、ビームライト２５からの光をミリ波送信機１７の上記放射アンテナ方向と同方向に放射させて上記ミリ波受信機側を照射することが可能になり、利用者に対してミリ波信号の放射方向を案内することができ、利用者はミリ波送信機１７からのミリ波信号の放射方向が分かる。したがって、容易にミリ波送信機１７の上記放射アンテナの方向を調整することができ、上記ミリ波受信機の設置が容易になる。
【００６６】
・第２実施の形態
図５は、本実施の形態のミリ波送受信システムにおける概略構成を示す図である。図５において、ＢＳ受信用アンテナ１１、第１ＩＦケーブル１２、アンテナ端子１３、交流コンセント１４、レベル調整・直流電圧重畳器１５、第２ＩＦケーブル１６、および、ミリ波送信機１７は、図１に示すミリ波送信システムの場合と全く同様である。また、設置台２１、スタンド部２２、および、棒状部２３は、図２に示すミリ波送信システムの場合と全く同様である。また、照明装置２４は、図３に示すミリ波送信システムの場合と全く同様である。また、ビームライト２５は、図４に示すミリ波送信システムの場合と全く同様である。
【００６７】
本実施の形態においては、ミリ波受信システムを、上記ミリ波受信装置としてのミリ波受信機２６とテレビ受像機２７とで構成している。ミリ波受信機２６は、ミリ波送信システムを構成するミリ波送信機１７から空間に放出されたミリ波信号を受信し、元のＩＦ信号にダウンコンバートしてテレビ受像機２７送信する。テレビ受像機２７は、ミリ波受信機２６によってダウンコンバートされたＩＦ信号に基づいて、受信画像を出力する。
【００６８】
ここで、上記ミリ波受信機２６は、上記テレビ受像機２７の上面に直接取り付けられると共に、指向性アンテナを有して、ミリ波受信機２６自身を回転・停止する回転機構(図示せず)を有している。
【００６９】
上記ミリ波受信システムをこのように構成することによって、ミリ波送信機１７から放射されたミリ波信号を受信するためのミリ波受信機２６における指向性アンテナの向きの調整を、上記回転機構でミリ波受信機２６自身を回転・停止することによって容易に行うことができる。したがって、ミリ波送信機１７の設置方向を気にすることなくミリ波受信機２６を設置することができ、ミリ波受信機２６をテレビ受像機２７に安定して個定することができる。
【００７０】
・第３実施の形態
図６は、本実施の形態のミリ波送受信システムにおける概略構成を示す図である。図６において、ＢＳ受信用アンテナ１１、第１ＩＦケーブル１２、アンテナ端子１３、交流コンセント１４、レベル調整・直流電圧重畳器１５、第２ＩＦケーブル１６、ミリ波送信機１７、設置台２１、スタンド部２２、棒状部２３、照明装置２４、ビームライト２５、ミリ波受信機２６、および、テレビ受像機２７は、図５に示すミリ波送受信システムの場合と全く同様である。
【００７１】
本実施の形態においては、上記ミリ波受信システムを構成するミリ波受信機２６は、回転機構(図示せず)によって、上記指向性アンテナを回転・固定するようになっている。さらに、ミリ波受信機２６は、スタンド部２８とこのスタンド部２８に立設された棒状部２９とで構成された設置台３０における棒状部２９の上部に突出棒を介して取り付けられている。そして、ミリ波受信機２６からテレビ受像機２７への信号線３１は、上記突出棒内,棒状部２９内およびスタンド部２８内に挿通されて、テレビ受像機２７に接続されている。尚、信号線３１は、スタンド部２８および棒状部２９に沿って配線しても一向に構わない。
【００７２】
上記ミリ波受信システムをこのように構成することによって、ミリ波受信機２６を、各メーカによって異なるテレビ受像機２７の形状に合わせることなく、設置・固定することが可能になる。また、ミリ波受信機２６の設置位置が上記第２実施の形態の場合よりも高くなり、ミリ波送信機１７の取り付け位置が人間の大人の平均身長以上になっていることと併せて、ミリ波送信機１７から放出されたミリ波信号を、室内の人間によって遮断されたり、室内の什器等によって遮断されたりすること無く、受信することが可能になる。
【００７３】
図７は、本実施の形態のミリ波送受信システムにおける第１変形例を示す概略構成図である。図７において、ＢＳ受信用アンテナ１１、第１ＩＦケーブル１２、アンテナ端子１３、交流コンセント１４、レベル調整・直流電圧重畳器１５、第２ＩＦケーブル１６、ミリ波送信機１７、設置台２１、スタンド部２２、棒状部２３、照明装置２４、ビームライト２５、ミリ波受信機２６、テレビ受像機２７、および、信号線３１は、図６に示すミリ波送受信システムの場合と全く同様である。
【００７４】
本変形例は、スタンド部３３とこのスタンド部３３に立設された棒状部３４とで構成されると共に、上記ミリ波受信機２６が取り付けられる設置台３２において、棒状部３４の長さが人間の大人の平均身長以上であって、ミリ波送信機１７取り付け用の設置台２１における棒状部２３と略同じ長さになっている点において、図６に示すミリ波送受信システムの場合とは異なる。
【００７５】
このように、上記ミリ波送信機１７および上記ミリ波受信機２６を、人間の大人の平均身長以上の高さに設置することにより、ミリ波送信機１７から放出されたミリ波信号が、室内の人間によって遮断されたり、室内の什器等によって遮断されたりすることを、ミリ波送信機１７のみを人間の大人の背丈以上の高さに設置する場合に比較して、さらに少なくすることができる。また、ミリ波送信機１７とミリ波受信機２６とが略同じ高さに設置されているので、ミリ波受信機２６における指向性アンテナの向きの調整は、水平方向と垂直方向との３次元的な調整が不要となる。したがって、ミリ波受信機２６におけるアンテナの向きの調整は、水平方向への２次元的な調整のみでよく、上記調整を極めて容易にすることができる。
【００７６】
図８は、本実施の形態のミリ波送受信システムにおける第２変形例を示す概略構成図である。図８において、ＢＳ受信用アンテナ１１、第１ＩＦケーブル１２、アンテナ端子１３、交流コンセント１４、レベル調整・直流電圧重畳器１５、第２ＩＦケーブル１６、ミリ波送信機１７、設置台２１、スタンド部２２、棒状部２３、照明装置２４、ビームライト２５、ミリ波受信機２６、テレビ受像機２７、および、信号線３１は、図６に示すミリ波送受信システムの場合と全く同様である。さらに、設置台３２、スタンド部３３、および、棒状部３４は、図７に示すミリ波送受信システムの場合と全く同様である。
【００７７】
本変形例は、上記設置台３２における棒状部３４の上端に、照明装置３５が取り付けられている点において、図６および図７に示すミリ波送受信システムの場合とは異なる。
【００７８】
このように、上記ミリ波受信システムを構成する設置台３２における棒状部３４の上端に照明装置３５を取り付け・固定することによって、テレビ受像機２７の周囲を明るくすることができ、目の疲れを軽減することができる。また、照明装置３５を天井方向に向けることにより間接照明が可能となる。その結果、周囲を薄暗くしてシアター視聴も可能となり、雰囲気や臨場感が在り、リラックスした視聴が可能になる。また、設置台３２をインテリアとしても違和感無くフロアに設置することが可能になる。
【００７９】
図９は、本実施の形態のミリ波送受信システムにおける第３変形例を示す概略構成図である。図９において、ＢＳ受信用アンテナ１１、第１ＩＦケーブル１２、アンテナ端子１３、交流コンセント１４、レベル調整・直流電圧重畳器１５、第２ＩＦケーブル１６、ミリ波送信機１７、設置台２１、スタンド部２２、棒状部２３、照明装置２４、ビームライト２５、ミリ波受信機２６、テレビ受像機２７、および、信号線３１は、図６に示すミリ波送受信システムの場合と全く同様である。さらに、設置台３２、スタンド部３３、および、棒状部３４は、図７に示すミリ波送受信システムの場合と全く同様である。さらに、照明装置３５は、図８に示すミリ波送受信システムの場合と全く同様である。
【００８０】
本変形例は、上記設置台３２の棒状部３４におけるミリ波受信機２６取り付け用の上記突出棒の下部に、回転・駆動可能なビームライト３６が取り付けられている点において、図６〜図８に示すミリ波送受信システムの場合とは異なる。
【００８１】
このように、上記設置台３２の棒状部３４にビームライト３６を回転・駆動可能なように取り付けることによって、ビームライト３６からの光をミリ波受信機２６の上記指向性アンテナの向きと同方向に放射させて、利用者に対して上記指向性アンテナの向きを案内することができる。こうして、利用者は、ビームライト３６による照射方向に基づいて、上記指向性アンテナの向きを知ることができる。したがって、ミリ波受信機２６における上記指向性アンテナを容易にミリ波送信機１７の方向に向けることができ、上記指向性アンテナの向きの調整を容易に行うことができるのである。
【００８２】
図１０は、本実施の形態のミリ波送受信システムにおける第４変形例を示す構成図である。図１０において、ＢＳ受信用アンテナ１１、第１ＩＦケーブル１２、アンテナ端子１３、交流コンセント１４、レベル調整・直流電圧重畳器１５、第２ＩＦケーブル１６、ミリ波送信機１７、設置台２１、スタンド部２２、棒状部２３、照明装置２４、ビームライト２５、ミリ波受信機２６、テレビ受像機２７、および、信号線３１は、図６に示すミリ波送受信システムの場合と全く同様である。さらに、設置台３２、スタンド部３３、および、棒状部３４は、図７に示すミリ波送受信システムの場合と全く同様である。さらに、照明装置３５は、図８に示すミリ波送受信システムの場合と全く同様である。さらに、ビームライト３６は、図９に示すミリ波送受信システムの場合と全く同様である。
【００８３】
本変形例は、上記ミリ波送信システムにおけるミリ波送信機１７の前面に、上記ミリ波受信システムにおけるビームライト３６からの光を反射する反射体３７を形成している。同様に、上記ミリ波受信システムにおけるミリ波受信機２６の前面に、上記ミリ波送信システムにおけるビームライト２５からの光を反射する反射体３８を形成している点において、図６〜図９に示すミリ波送受信システムの場合とは異なる。
【００８４】
このように、上記ミリ波送信機１７およびミリ波受信機２６の前面に、ビームライト３６およびビームライト２５からの光を反射する反射体３７および反射体３８を形成することにより、上記ミリ波送信システムおよびミリ波受信システムの夫々からの光ビームをミリ波受信機２６およびミリ波送信機１７で反射することができ、ミリ波受信機２６およびミリ波送信機１７で反射された光ビームに基づいて、ミリ波受信機２６およびミリ波送信機１７の向きを検知することができる。したがって、ミリ波受信機２６における上記指向性アンテナの向き、および、ミリ波送信機１７の上記放射アンテナの向きの調整が容易になる。
【００８５】
本変形例においては、上記反射体３７および上記反射体３８を、ミリ波送信機１７およびミリ波受信機２６の前面に形成している。しかしながら、この発明はこれに限定されるものではない。例えば、ミリ波送信機１７のミリ波信号出射面およびミリ波受信機２６のミリ波信号入射面に隣接して形成してもよい。要は、反射体３７および反射体３８からの反射光によって、ミリ波受信機２６およびミリ波送信機１７の向きを検知することができる位置であればよいのである。
【００８６】
尚、図３および図４に示すミリ波送信システム、および、図５〜図１０に示すミリ波送受信システムのミリ波送信システムにおいては、設置台２１における棒状部２３の上端に照明装置２４を取り付けているが、スタンド部２２に取り付けても一向に構わない。同様に、図８〜図１０に示すミリ波送受信システムのミリ波受信システムにおいては、設置台３２における棒状部３４の上端に照明装置３５を取り付けているが、スタンド部３３に取り付けても一向に構わない。
【００８７】
また、上記照明装置は、図１に示すミリ波送信システム、および、図６に示すミリ波送受信システムのミリ波受信システムに、適用することも可能である。
【００８８】
また、図４に示すミリ波送信システムにおけるビームライト２５は、図１および図２に示すミリ波送信システムに取り付けても差し支えない。同様に、図９に示すミリ波送受信システムのミリ波受信システムにおけるビームライト３６は、図６および図７に示すミリ波送受信システムのミリ波受信システムに取り付けても差し支えない。
【００８９】
また、図５〜図９に示すミリ波送受信システムにおいては、図４に示すミリ波送信システムを備えているが、図１〜図３に示すミリ波送信システムの何れか一つを備えても差し支えないし、図１〜図４に示すミリ波送信システムとは異なるミリ波送信システムを備えていても差し支えない。
【図面の簡単な説明】
【００９０】
【図１】この発明のミリ波送信システムにおける概略構成を示す図である。
【図２】図１とは異なるミリ波送信システムにおける構成図である。
【図３】図１および図２とは異なるミリ波送信システムにおける構成図である。
【図４】図１〜図３とは異なるミリ波送信システムにおける構成図である。
【図５】この発明のミリ波送受信システムにおける概略構成を示す図である。
【図６】図５とはミリ波受信システムが異なるミリ波送受信システムにおける構成図である。
【図７】図５および図６とはミリ波受信システムが異なるミリ波送受信システムにおける構成図である。
【図８】図５〜図７とはミリ波受信システムが異なるミリ波送受信システムにおける構成図である。
【図９】図５〜図８とはミリ波受信システムが異なるミリ波送受信システムにおける構成図である。
【図１０】図５〜図９とはミリ波受信システムが異なるミリ波送受信システムにおける構成図である。
【図１１】従来のマイクロ波・ミリ波送信装置における概略構成を示す図である。
【符号の説明】
【００９１】
１１…ＢＳ受信用アンテナ、
１２…第１ＩＦケーブル、
１３…アンテナ端子、
１４…交流コンセント、
１５…レベル調整・直流電圧重畳器、
１５a…第３ＩＦケーブル、
１５b…電源ライン、
１６…第２ＩＦケーブル、
１７…ミリ波送信機、
１８,２１,３０,３２…設置台、
１９,２２,２８,３３…スタンド部、
２０,２３,２９,３４…棒状部、
２４,３５…照明装置、
２５,３６…ビームライト、
２６…ミリ波受信機、
２７…テレビ受像機、
３１…信号線、
３７,３８…反射体。
【図１】
2009284216.tif 000003
【図２】
2009284216.tif 000004
【図３】
2009284216.tif 000005
【図４】
2009284216.tif 000006
【図５】
2009284216.tif 000007
【図６】
2009284216.tif 000008
【図７】
2009284216.tif 000009
【図８】
2009284216.tif 000010
【図９】
2009284216.tif 000011
【図１０】
2009284216.tif 000012
【図１１】
2009284216.tif 000013